(57)【要約】【課題】複数の配光条件を満たすことが可能なレンズ、光源装置及び発光装置を提供する。【解決手段】第１出射曲線（Ｌ２１）は、第１の外側中央部（Ｙ１）を囲み、かつ、固体光源から離れる向きに突出した第１の外側周辺部（Ｙ２）を有する。第２仮想平面と出射面（９０１）との交わりである第２出射曲線は、光軸（Ｃ１）と平行な方向において固体光源の発光面（３００）と対向し、かつ、固体光源から離れる向きに突出した第２の外側中央部を有する。第２出射曲線は、第２の外側中央部を囲み、かつ、固体光源から離れる向きに突出した第２の外側周辺部を有する。第１の外側中央部（Ｙ１）の曲率が第２の外側中央部の曲率よりも小さく、かつ、第２の外側周辺部の曲率が第１の外側周辺部（Ｙ２）の曲率よりも大きい。【選択図】        図８
2019102175.tif 000002
【特許請求の範囲】
【請求項１】
透光性を有する媒質からなるレンズ本体を備え、
前記レンズ本体は、
固体光源から放射される光が入射する入射面と、
前記入射面から入射した前記光が出射する出射面と
を有し、
前記固体光源の光軸と平行な第１仮想平面と前記入射面との交わりである第１入射曲線は、
前記光軸と平行な方向において前記固体光源の発光面と対向する中央部と、
前記中央部を囲む周辺部と
を有し、
前記中央部は、前記周辺部に対して前記固体光源に向かって突出し、
前記周辺部は、前記固体光源から離れる向きに凹んでおり、
前記光軸と平行し、かつ、前記第１仮想平面と直交する第２仮想平面と前記入射面との交わりである第２入射曲線は、前記固体光源から離れる向きに凹んでおり、
前記第１仮想平面と前記出射面との交わりである第１出射曲線は、
前記光軸と平行な方向において前記固体光源の発光面と対向し、かつ、前記固体光源から離れる向きに突出した第１の外側中央部と、
前記第１の外側中央部を囲み、かつ、前記固体光源から離れる向きに突出した第１の外側周辺部と
を有し、
前記第２仮想平面と前記出射面との交わりである第２出射曲線は、
前記光軸と平行な方向において前記固体光源の発光面と対向し、かつ、前記固体光源から離れる向きに突出した第２の外側中央部と、
前記第２の外側中央部を囲み、かつ、前記固体光源から離れる向きに突出した第２の外側周辺部と
を有し、
前記第１の外側中央部の曲率が前記第２の外側中央部の曲率よりも小さく、かつ、前記第２の外側周辺部の曲率が前記第１の外側周辺部の曲率よりも大きい
ことを特徴とするレンズ。
【請求項２】
前記第１の外側周辺部の曲率及び前記第２の外側周辺部の曲率は前記光軸から離れるに従って大きくなる
ことを特徴とする請求項１記載のレンズ。
【請求項３】
前記光軸の方向から見た前記入射面の外形が長円形である
ことを特徴とする請求項１又は２記載のレンズ。
【請求項４】
前記光軸の方向から見た前記出射面の外形が長円形である
ことを特徴とする請求項１〜３のいずれか１項に記載のレンズ。
【請求項５】
前記入射面の外形の長軸の長さに対する短軸の長さの比率は、前記出射面の外形の長軸の長さに対する短軸の長さの比率よりも高く、かつ、前記入射面の外形の長軸と前記出射面の外形の長軸とが平行である
ことを特徴とする請求項１〜４のいずれか１項に記載のレンズ。
【請求項６】
請求項１〜５のいずれかのレンズと、
前記レンズの前記入射面に発光面を対向させるように配置される前記固体光源と
を備える
ことを特徴とずる光源装置。
【請求項７】
請求項６の光源装置と、
前記光源装置を駆動する駆動装置と、
前記光源装置及び前記駆動装置を収容する筐体と
を有する
ことを特徴とする発光装置。
【請求項８】
前記筐体は、
前壁と、
前記前壁の厚み方向において前記前壁と対向する後壁と、
前記前壁と前記後壁の周縁を囲む側壁と
を有し、
前記前壁と前記後壁の少なくとも一方は、前記レンズ本体が挿通される挿通穴を有している
ことを特徴とする請求項７記載の発光装置。
【請求項９】
前記筐体は、
前壁と、
前記前壁の厚み方向において前記前壁と対向する後壁と、
前記前壁と前記後壁の周縁を囲む側壁と
を有し、
前記側壁は、前記レンズ本体が挿通される挿通穴を有している
ことを特徴とする請求項７記載の発光装置。
【発明の詳細な説明】
【技術分野】
【０００１】
本発明は、レンズ、光源装置及び発光装置に関する。より詳細には、本発明は、固体光源の配光を制御するレンズ、前記固体光源と前記レンズを有する光源装置、及び前記光源装置と前記光源装置を駆動する駆動装置とを有する発光装置に関する。
【背景技術】
【０００２】
従来例として特許文献１記載のレンズ及び照明器具を例示する。特許文献１記載の照明器具（発光装置）は、レンズを有する発光装置（光源装置）と、バッテリと、非常時にバッテリから放電される電力で発光装置を発光（点灯）させる点灯装置と、発光装置、バッテリ及び点灯装置を収容する、円筒形の器具本体とを備える。なお、発光装置が有する光源は発光ダイオード（固体光源）である。特許文献１記載の照明器具は、非常時照明を行う非常用照明器具（非常灯）である。
【０００３】
レンズは、底面と、出射面と、入射凹面とを備えている。出射面は、底面の中央上方に頂点を有する凸曲面からなる。入射凹面は、底面の中央を凹ませて形成されている。入射凹面は滑らかな曲面からなる釣鐘形状である。入射凹面の深い側ほど入射凹面の径が小さくされており、入射凹面の開口端側に行くほど径が大きくなる。入射凹面が発光面と対向するように、レンズが光源に被せられている。レンズは、入射凹面の底に、入射凹面の深さよりも小さく盛り上がった第１凸面を備える。第１凸面は、外側に膨らんだ凸曲面である。
【０００４】
上述のように構成されたレンズを有する発光装置は、いわゆるバッドウイング型配光を実現することができる。
【先行技術文献】
【特許文献】
【０００５】
【特許文献１】特開２０１６−１６２５１２号公報
【発明の概要】
【発明が解決しようとする課題】
【０００６】
ところで、非常用照明器具には特許文献１記載の非常灯だけでなく誘導灯もある。誘導灯には、表示板によって避難口を表示する誘導灯と、誘導効果を高めるために光源を点滅させる点滅形の誘導灯とがある。さらに、点滅形の誘導灯には、灯体の前面（側面）に発光面を有する壁埋込型の誘導灯もあれば、灯体の下面に発光面を有する天井取付型の誘導灯もある。したがって、これら２種類の誘導灯に必要とされる配光条件（光度の角度特性）もそれぞれの種類毎に異なっており、特許文献１記載のレンズでは、複数種類の発光装置（誘導灯など）に共通して使用することが困難であった。
【０００７】
本発明の目的は、複数の配光条件を満たすことが可能なレンズ、光源装置及び発光装置を提供することである。
【課題を解決するための手段】
【０００８】
本発明の一態様に係るレンズは、透光性を有する媒質からなるレンズ本体を備える。前記レンズ本体は、固体光源から放射される光が入射する入射面と、前記入射面から入射した前記光が出射する出射面とを有する。前記固体光源の光軸と平行な第１仮想平面と前記入射面との交わりである第１入射曲線は、前記光軸と平行な方向において前記固体光源の発光面と対向する中央部と、前記中央部を囲む周辺部とを有する。前記中央部は、前記周辺部に対して前記固体光源に向かって突出している。前記周辺部は、前記固体光源から離れる向きに凹んでいる。前記光軸と平行し、かつ、前記第１仮想平面と直交する第２仮想平面と前記入射面との交わりである第２入射曲線は、前記固体光源から離れる向きに凹んでいる。前記第１仮想平面と前記出射面との交わりである第１出射曲線は、前記光軸と平行な方向において前記固体光源の発光面と対向し、かつ、前記固体光源から離れる向きに突出した第１の外側中央部を有する。前記第１出射曲線は、前記第１の外側中央部を囲み、かつ、前記固体光源から離れる向きに突出した第１の外側周辺部を有する。前記第２仮想平面と前記出射面との交わりである第２出射曲線は、前記光軸と平行な方向において前記固体光源の発光面と対向し、かつ、前記固体光源から離れる向きに突出した第２の外側中央部を有する。前記第２出射曲線は、前記第２の外側中央部を囲み、かつ、前記固体光源から離れる向きに突出した第２の外側周辺部を有する。前記第１の外側中央部の曲率が前記第２の外側中央部の曲率よりも小さく、かつ、前記第２の外側周辺部の曲率が前記第１の外側周辺部の曲率よりも大きい。
【０００９】
本発明の一態様に係る光源装置は、前記レンズと、前記レンズの前記入射面に発光面を対向させるように配置される前記固体光源とを備える。
【００１０】
本発明の一態様に係る発光装置は、前記光源装置と、前記光源装置を駆動する駆動装置と、前記光源装置及び前記駆動装置を収容する筐体とを有する。
【発明の効果】
【００１１】
本発明のレンズ、光源装置及び発光装置は、複数の配光条件を満たすことが可能になるという効果がある。
【図面の簡単な説明】
【００１２】
【図１】図１は、本発明の一態様に係る発光装置の実施形態である誘導灯器具の斜視図である。
【図２】図２は、同上の誘導灯器具の分解斜視図である。
【図３】図３は、本発明の一態様に係る光源装置の分解斜視図である。
【図４】図４は、同上の誘導灯器具の変形例１の斜視図である。
【図５】図５は、同上の誘導灯器具の変形例２の斜視図である。
【図６】図６は、本発明の一態様に係るレンズの正面図である。
【図７】図７は、同上のレンズの背面図である。
【図８】図８は、同上のレンズの図６におけるＷ１−Ｗ１線断面矢視図である。
【図９】図９は、図８の要部を拡大した拡大図である。
【図１０】図１０は、同上のレンズの図６におけるＷ２−Ｗ２線断面矢視図である。
【図１１】図１１は、図１０の要部を拡大した拡大図である。
【図１２】図１２Ａは、同上のレンズの第１仮想平面における配光特性を示す図であり、図１２Ｂは、同上のレンズの第２仮想平面における配光特性を示す図である。
【図１３】図１３Ａは、比較例１のレンズにおける第１仮想平面の断面図を示す図であり、図１３Ｂは、比較例１のレンズの第１仮想平面における配光特性を示す図である。
【図１４】図１４Ａは、比較例１のレンズにおける第２仮想平面の断面図を示す図であり、図１４Ｂは、比較例１のレンズの第２仮想平面における配光特性を示す図である。
【図１５】図１５Ａは、比較例２のレンズにおける第１仮想平面の断面図を示す図であり、図１５Ｂは、比較例２のレンズの第１仮想平面における配光特性を示す図である。
【図１６】図１６Ａは、比較例２のレンズにおける第２仮想平面の断面図を示す図であり、図１６Ｂは、比較例２のレンズの第２仮想平面における配光特性を示す図である。
【図１７】図１７は、同上の誘導灯器具の変形例３の斜視図である。
【図１８】図１８は、同上の誘導灯器具の変形例４の斜視図である。
【発明を実施するための形態】
【００１３】
以下、本発明に係るレンズ、光源装置及び発光装置の実施形態について、図面を参照して詳細に説明する。ただし、下記の実施形態において説明する各図は模式的な図であり、各構成要素の大きさや厚さそれぞれの比が必ずしも実際の寸法比を反映しているとは限らない。なお、以下の実施形態で説明する構成は本発明の一例にすぎない。本発明は、以下の実施形態に限定されず、本発明の効果を奏することができれば、設計等に応じて種々の変更が可能である。
【００１４】
まず、本実施形態の発光装置を説明する。本実施形態の発光装置は、建物の避難口を表示するための避難口誘導灯器具（以下、誘導灯器具という）１である。誘導灯器具１は、誘導灯信号装置から信号を受けた場合に誘導効果を高めるために光源（本実施形態の光源装置３）を点滅させる点滅形避難口誘導灯器具として構成されている。なお、以下の説明においては、特に断りのない限り、図１に矢印で示す向きにおいて、誘導灯器具１の上下、左右及び前後の各方向を規定する。
【００１５】
誘導灯器具１は、図１及び図２に示すように、表示ユニット２、光源装置３、駆動装置４、筐体１０などを有している。
【００１６】
筐体１０は、それぞれ長方形の前壁１１、後壁１２及び４つの側壁１３を有する直方体状に形成されている。ただし、本実施形態における筐体１０は、本体１００とプレート１０１で構成されている。本体１００は、前面が開放された箱形に形成されており、筐体１０の後壁１２と４つの側壁１３を構成している。プレート１０１は、四角形の平板状に形成された主部１０１０と、主部１０１０の４つの辺から後方へ立ち上がる４つの側部１０１１とを有している。プレート１０１の主部１０１０は筐体１０の前壁１１を構成している。プレート１０１の４つの側部１０１１は筐体１０の４つの側壁１３の前端部分を構成している。プレート１０１は、一対の取付ばね１０２によって着脱可能に本体１００に取り付けられる。本体１００の前面にプレート１０１が取り付けられることによって筐体１０が構成される。なお、筐体１０（本体１００及びプレート１０１）は、鋼板などの不燃物で形成されている。
【００１７】
筐体１０の内底面（後壁１２の前面）には取付台１５がねじ止めされている。取付台１５は、合成樹脂材料によって前面と下面が開放された箱形に形成されている。表示ユニット２及び駆動装置４は取付台１５に取り付けられた状態で筐体１０内に収容されている。
【００１８】
表示ユニット２は、表示板２０と、光源ブロック２１と、点灯ブロック２２と、第１蓄電池ブロック２３とを有している。
【００１９】
表示板２０は、アクリル樹脂又はポリカーボネート樹脂などの透光性を有する合成樹脂材料によって四角形の板状に形成されている。ただし、表示板２０は、前後方向の厚みを上端から下端に向かって徐々に小さくするように形成されている。表示板２０の前面には避難口を示すピクトグラムが描かれている。
【００２０】
光源ブロック２１は、１つ以上のＬＥＤと、ＬＥＤから放射される光を導光する導光部材と、ＬＥＤ及び導光部材を収容するケース２１０とを備える。ケース２１０の下面には導光部材から出射する光をケース２１０の外に放射するための開口が設けられている。光源ブロック２１は、図２に示すように、取付台１５の上部に取り付けられる。また、表示板２０は、上側面を光源ブロック２１のケース２１０の開口に対向させるようにして取付台１５に取り付けられる。
【００２１】
第１蓄電池ブロック２３は、電気絶縁性を有する合成樹脂製の電池ケースに複数の電池セルを収容して構成されている。電池セルは、ニッケル水素電池のような蓄電池である。第１蓄電池ブロック２３は、取付台１５の右端に収容されている（図２参照）。
【００２２】
点灯ブロック２２は、常用点灯回路と、第１充電回路と、非常用点灯回路と、第１制御回路とを有している。常用点灯回路は、外部電源（例えば、商用の電力系統）から供給される電力でＬＥＤを点灯させる。第１充電回路は、外部電源から供給される電力で第１蓄電池ブロック２３の電池セルを充電する。非常用点灯回路は、外部電源の電力供給が停止した場合、第１蓄電池ブロック２３から放電される電力でＬＥＤを点灯させる。第１制御回路は、外部電源の給電状況を監視し、外部電源から電力供給されているときは常用点灯回路と第１充電回路を動作させるとともに非常用点灯回路を停止させる。また、第１制御回路は、外部電源の電力供給が停止（停電）したときは常用点灯回路と第１充電回路を停止させるとともに非常用点灯回路を動作させる。
【００２３】
さらに、第１制御回路は、第１充電回路を動作させているときに第１表示素子を発光させて充電中であることを表示する。第１制御回路は、第１点検スイッチがオンされている間、常用点灯回路及び第１充電回路を強制的に停止させるとともに非常用点灯回路を強制的に動作させて光源ブロック２１のＬＥＤを点灯させる。第１制御回路は、自己点検スイッチが所定時間（例えば、２秒）以上オンされると自己点検動作を行う。また、第１制御回路は、受光素子において赤外線を通信媒体とする制御信号を受信した場合も自己点検動作を行う。自己点検動作は、規定時間（２０分又は６０分）が経過するまで常用点灯回路及び第１充電回路を強制的に停止させるとともに非常用点灯回路を強制的に動作させて光源ブロック２１のＬＥＤを点灯させる動作である。そして、第１制御回路は、規定時間が経過したら非常用点灯回路を停止させて非常用点灯回路の入力電圧、すなわち、第１蓄電池ブロック２３の電池電圧を測定し、電池電圧の測定値に基づいて第１蓄電池ブロック２３の良否を判定する。第１制御回路は、第１蓄電池ブロック２３を良好と判定した場合に第１表示素子を連続して発光させ、第１蓄電池ブロック２３を不良と判定した場合に第１表示素子を間欠的に発光（点滅）させる。
【００２４】
表示ユニット２は、筐体１０の前壁１１（プレート１０１の主部１０１０）に設けられた四角形状の窓１１０から表示板２０の前面を露出させるようにして筐体１０内に収容される。表示ユニット２は、光源ブロック２１から表示板２０の上面に光を入射させ、表示板２０全体を発光させることにより、表示板２０の前面の輝度を高めてピクトグラムの視認性を高めている。
【００２５】
光源装置３は、図３に示すように、固体光源である発光ダイオード（Light Emitting Diode）３０と、ＬＥＤ３０を支持するホルダ３１と、一対の端子板３２と、放熱板３３と、レンズ９とを有している。
【００２６】
ＬＥＤ３０は、四角形状の実装基板３０１の中央に少なくとも１個のＬＥＤチップが実装されて構成されている。ＬＥＤチップは、例えば、青色光を放射する青色発光ダイオードである。また、ＬＥＤチップを含む実装基板３０１の実装面（下面）は、ＬＥＤチップから放射される青色光を波長変換する蛍光物質が混入された封止樹脂で封止されている。なお、封止樹脂は上下方向から見て円形に形成されており、封止樹脂の表面がＬＥＤ３０の発光面３００となる。
【００２７】
さらに、実装基板３０１は、その対角の位置にある一対の角部にそれぞれ電極を有している。一方の電極は、ＬＥＤチップのカソードと電気的に接続され、他方の電極は、ＬＥＤチップのアノードと電気的に接続されている。これらの電極は、一対の端子板３２のうちの対応する端子板３２と電気的に接続されている。
【００２８】
ホルダ３１は、ポリカーボネート樹脂などの合成樹脂材料によって円板状に形成されている。ホルダ３１の中央部にＬＥＤ３０が保持されている。ホルダ３１は一対の突起３１１を有している。一対の突起３１１はホルダ３１の中央部を挟んで対向する位置に配置されている。各突起３１１には貫通穴３１２が１つずつ貫通している。また、ホルダ３１は、端子板保持部３１０を有している。端子板保持部３１０は、上向きに伸びた角筒状に形成され、一対の端子板３２を内部に収容して保持している。
【００２９】
レンズ９は、レンズ本体９０と、レンズ本体９０の周縁から第１方向（レンズ本体９０の厚み方向に直交する方向）へ突出するフランジ９１と、フランジ９１から第１方向へ突出する一対の固定片９２とを備える。レンズ本体９０とフランジ９１と一対の固定片９２とは、例えば、ガラス材料のプレス成形によって一体に形成される。一対の固定片９２のそれぞれにねじ挿通穴９２０が貫通している。なお、レンズ９については後に詳細に説明する。
【００３０】
放熱板３３は、平板状の固定部３３０と、固定部３３０の右端における後端から上向きに突出するねじ止め部３３１と、固定部３３０の左端における後端から上向きに突出する引掛部３３２とを有している。放熱板３３は、更に、固定部３３０の右端における前後方向の中央から上向きに突出する突片３３３を有している。固定部３３０とねじ止め部３３１と引掛部３３２と突片３３３とは、例えば、アルミ板によって一体に形成されている。
【００３１】
固定部３３０の右端の前端及び左端の後端のそれぞれにねじ穴３３４が１つずつ設けられている。固定部３３０にはホルダ３１とレンズ９が固定される。レンズ９の各固定片９２のねじ挿通穴９２０及びホルダ３１の各突起３１１の貫通穴３１２に１本ずつ固定ねじ３４が挿通される。そして、各固定ねじ３４が放熱板３３の固定部３３０に設けられている２つのねじ穴３３４のうちの対応するねじ穴３３４にねじ込まれる。その結果、レンズ９とホルダ３１が２本の固定ねじ３４によって放熱板３３の固定部３３０にねじ止めされる（固定される）。
【００３２】
ねじ止め部３３１は、鈎形に形成されている。ねじ止め部３３１の先端には円形の穴３３５が貫通している。引掛部３３２も鈎形に形成されている。突片３３３は、長方形状に形成されている。突片３３３は、固定部３３０に固定されたホルダ３１の端子板保持部３１０に沿うように配置されている。
【００３３】
光源装置３は、取付部材６に取り付けられる。光源装置３が取り付けられた取付部材６が、筐体１０に取り付けられる。つまり、本実施形態の光源装置３は、筐体１０に直接取り付けられるのではなく、取付部材６を介して筐体１０に間接的に取り付けられる。
【００３４】
取付部材６は、固定片６０と、第１取付片６１と、第２取付片６２と、保護片６３とを有している。固定片６０、第１取付片６１、第２取付片６２及び保護片６３は、金属板によって一体に形成されている。固定片６０は長尺の平板状に形成されている。固定片６０は、長手方向（左右方向）の一端（左端）と中央とにそれぞれねじ挿通穴６００が設けられている。
【００３５】
第１取付片６１は、長尺の平板状に形成されている。ただし、第１取付片６１の長手方向の長さは、固定片６０の長手方向の長さの約３分の２である。第１取付片６１は、固定片６０の短手方向（上下方向）の一端（下端）から前方へ突出している。第１取付片６１は、第１ねじ穴（不図示）、第２ねじ穴（不図示）、第１引掛穴６１３、第２引掛穴（不図示）を有している。第１ねじ穴は、第１取付片６１の長手方向（左右方向）のほぼ中央に設けられている。第２ねじ穴は、第１取付片６１の長手方向の一端（右端）に設けられている。第１引掛穴６１３は角穴からなり、第１取付片６１の長手方向の他端（左端）に設けられている。第２引掛穴は台形状の穴からなり、第１取付片６１の長手方向のほぼ中央に設けられている。
【００３６】
第２取付片６２は、通線穴を有する矩形の枠状に形成されている。ただし、第２取付片６２の長手方向の長さは、固定片６０の長手方向の長さの約３分の１である。第２取付片６２は、固定片６０の短手方向の他端（上端）において、第１取付片６１と向き合わない部位から前方へ突出している。第２取付片６２は、第３ねじ穴と第３引掛穴を有している。第３ねじ穴は、第２取付片６２の左端の前端に設けられている。第３引掛穴６２１は、角穴と半円形の穴とを繋いだ形状に形成されている。第３引掛穴６２１は、第２取付片６２の右端の前端に設けられている。
【００３７】
保護片６３は、Ｌ字状に形成されている。保護片６３は、第１取付片６１の長手方向の中央における前端から上向きに突出している。保護片６３の先端部分には角穴からなる確認窓６３０が設けられている。
【００３８】
光源装置３は、放熱板３３の引掛部３３２の先端を第１取付片６１の第１引掛穴６１３の縁に引っ掛けた状態で、ねじ止め部３３１の穴３３５に挿通されるねじを第１取付片６１の第１ねじ穴にねじ込むことによって第１取付片６１に固定される。つまり、光源装置３は、ねじ止め部３３１及び引掛部３３２の上下方向の高さ分だけ固定部３３０を第１取付片６１から離した状態で取付部材６に取り付けられる。
【００３９】
ここで、第１取付片６１には光源装置３だけでなく第１スイッチブロック１６も取り付けられる。第１スイッチブロック１６は、上述した第１点検スイッチ、自己点検スイッチ、第１表示素子、受光素子が実装されたプリント配線板と、プリント配線板を収容する第１ケース１６０と、第１点検スイッチを操作するための第１押釦１６１とを備える。第１ケース１６０は、合成樹脂材料によって直方体形状の箱形に形成されている。第１ケース１６０の一面（下面）には、第１押釦１６１が収容される第１操作穴１６２と、第１操作穴１６２よりも径の小さい第２操作穴１６３と、第１表示穴１６４と、第１操作穴１６２とほぼ同径の受光穴１６５とが設けられている。第１押釦１６１は円柱状に形成されており、上下方向に移動可能な状態で第１操作穴１６２内に収容されている。第１ケース１６０内において第１操作穴１６２と上下方向に対向する位置に、押釦スイッチからなる第１点検スイッチが配置されている。したがって、第１ケース１６０の外から押された第１押釦１６１が第１ケース１６０内に移動し、第１押釦１６１の上端で第１点検スイッチが押操作されてオンする。第１ケース１６０内において第２操作穴１６３と上下方向に対向する位置に、押釦スイッチからなる自己点検スイッチが配置されている。すなわち、自己点検スイッチは、第２操作穴１６３を通して第１ケース１６０の外から挿入される細い工具（例えば、ドライバなど）の先端で押操作されてオンする。第１ケース１６０内において第１表示穴１６４と上下方向に対向する位置に第１表示素子が配置されている。すなわち、第１表示素子の発する光は第１表示穴１６４を通して第１ケース１６０の外に放射される。第１ケース１６０内において受光穴１６５と上下方向に対向する位置に受光素子が配置されている。すなわち、自己点検用のリモートコントローラから送信される制御信号が受光穴１６５を通して受光素子で受光（受信）される。
【００４０】
第１ケース１６０は、固定片１６００と引掛片を有している。固定片１６００は第１ケース１６０の右側面の上端から第１ケース１６０の上面と平行に突出している。固定片１６００には丸穴からなる挿通穴１６０１が設けられている。引掛片は鈎形に形成され、第１ケース１６０の左側面の上端から上向きに突出している。第１スイッチブロック１６は、第１ケース１６０の引掛片を第１取付片６１における第２引掛穴の縁に引っ掛け、かつ、固定片１６００の挿通穴１６０１に挿通したねじを第２ねじ穴にねじ込むことによって第１取付片６１に取り付けられる。
【００４１】
第２取付片６２には第２スイッチブロック１７が取り付けられる。第２スイッチブロック１７は、第２点検スイッチ及び第２表示素子が実装されたプリント配線板と、プリント配線板を収容する第２ケース１７０と、第２点検スイッチを操作するための第２押釦１７１とを備える。第２ケース１７０は、合成樹脂材料によって直方体形状の箱形に形成されている。第２ケース１７０の一面（下面）には、第２押釦１７１が収容される第３操作穴１７２と、第３操作穴１７２よりも径の小さい第２表示穴１７３とが設けられている。第２押釦１７１は円柱状に形成されており、上下方向に移動可能な状態で第３操作穴１７２内に収容されている。第２ケース１７０内において第３操作穴１７２と上下方向に対向する位置に、押釦スイッチからなる第２点検スイッチが配置されている。したがって、第２ケース１７０の外から押された第２押釦１７１が第２ケース１７０内に移動し、第２押釦１７１の上端で第２点検スイッチが押操作されてオンする。第２ケース１７０内において第２表示穴１７３と上下方向に対向する位置に第２表示素子が配置されている。すなわち、第２表示素子の発する光は第２表示穴１７３を通して第２ケース１７０の外に放射される。
【００４２】
第２ケース１７０は、固定片１７００と引掛片１７０２を有している。固定片１７００は第２ケース１７０の前側面の上端から第２ケース１７０の上面と平行に突出している。固定片１７００には丸穴からなる挿通穴１７０１が設けられている。引掛片１７０２は鈎形に形成され、第２ケース１７０の右側面の上端から上向きに突出している。第２スイッチブロック１７は、第２ケース１７０の引掛片１７０２を第２取付片６２における第３引掛穴６２１の縁に引っ掛け、かつ、固定片１７００の挿通穴１７０１に挿通したねじを第３ねじ穴にねじ込むことによって第２取付片６２に取り付けられる。
【００４３】
取付部材６の固定片６０が筐体１０の内底面（後壁１２の前面）における下端部分に固定される。光源装置３のレンズ９は、筐体１０の下側の側壁１３における長手方向（左右方向）の中央に設けられた挿通穴１４を通して筐体１０の外に突出する。また、筐体１０の下側の側壁１３には、第１ケース１６０の第１操作穴１６２、第２操作穴１６３、第１表示穴１６４及び受光穴１６５、第２ケース１７０の第３操作穴１７２及び第２表示穴１７３と各々一対一に対応した複数の穴１３１〜１３６が設けられている。穴１３１は、第１操作穴１６２と対向している。したがって、第１押釦１６１の先端部分が穴１３１を通して筐体１０の外に突出する。穴１３２は第２操作穴１６３と対向している。穴１３３は第１表示穴１６４と対向している。穴１３４は受光穴１６５と対向している。穴１３５は第３操作穴１７２と対向している。したがって、第２押釦１７１の先端部分が穴１３５を通して筐体１０の外に突出する。穴１３６は第２表示穴１７３と対向している。
【００４４】
駆動装置４は、光源装置３のＬＥＤ３０を駆動する駆動回路と、駆動回路に電力を供給するための第２蓄電池ブロック５を充電する第２充電回路と、駆動回路及び第２充電回路を制御する第２制御回路とを有する。第２制御回路は、信号線を介して誘導灯信号装置から信号を受信したとき、駆動回路を制御し、通常時は外部電源から供給される電力でＬＥＤ３０を駆動してＬＥＤ３０を発光させる。また、第２制御回路は、外部電源の停電時は第２蓄電池ブロック５から供給される電力でＬＥＤ３０を駆動してＬＥＤ３０を発光させる。ただし、第２制御回路は、誘導効果を高めるためにＬＥＤ３０を間欠駆動するように駆動回路を制御する。例えば、第２制御回路は、約５００ｍｓ毎に約５０ｍｓの期間だけＬＥＤ３０を駆動して発光させるように駆動回路を制御することが好ましい。第２充電回路は、外部電源から供給される電力で第２蓄電池ブロック５を充電する。さらに、第２制御回路は、第２充電回路を動作させているときに第２表示素子を発光させて充電中であることを表示する。第２制御回路は、第２点検スイッチがオンされている間、第２充電回路を強制的に停止させるとともに駆動回路を制御して第２蓄電池ブロック５から供給される電力で光源装置３のＬＥＤ３０を発光させる。
【００４５】
第２蓄電池ブロック５は、複数本の乾電池型の電池セルが熱収縮チューブに包まれて構成されている。各電池セルは、ニッケル水素電池のような蓄電池である。第２蓄電池ブロック５は、取付台１５の左隣に収容されている（図２参照）。
【００４６】
誘導灯器具１は、筐体１０の後壁１２を壁面に当てるようにして壁に直に取り付けられる。ただし、誘導灯器具１は、筐体１０の上側の側壁１３を天井面に当てるようにして天井に直に取り付けられる場合もある。つまり、壁又は天井に直に取り付けられた誘導灯器具１では、光源装置３の光軸（ＬＥＤ３０の光軸Ｃ１）が筐体１０の下面からほぼ真下に向いている。ここで、一般社団法人日本照明工業会規格ＪＩＬ５５０２「誘導灯器具及び避難誘導システム用装置技術基準」の改正追補附属書３に、誘導灯表示板の表示方向を０°としたときに水平方向±６０°の範囲で光源装置３の光度が満たすべき値が規定されている。すなわち、表示方向（筐体１０の前壁１１の表面の法線方向）に対する角度をθ°としたとき、θ＝０°のときの光源装置３の光度は１１１ｃｄ（カンデラ）以上が必要である。また、θ＝±４５°のときの光源装置３の光度は７４ｃｄ（カンデラ）以上が必要である。さらに、θ＝±６０°のときの光源装置３の光度は４９ｃｄ（カンデラ）以上が必要である。したがって、光源装置３のレンズ９は、光軸Ｃ１と直交する方向（前方向）の輝度を高めるような配光特性を実現することが好ましい。
【００４７】
一方、誘導灯器具には、筐体１０の一部（本体１００）が壁に設けられた埋込穴に埋め込まれるようにして壁に設置される、埋込型の誘導灯器具１Ａ（変形例１）もある。埋込型の誘導灯器具１Ａでは、光源装置３のレンズ９が筐体１０の前面に設けられた挿通穴１４を通して筐体１０の外に突出する（図４参照）。誘導灯器具１Ａでは、レンズ９の光軸Ｃ１が表示方向に一致している。そして、埋込型の誘導灯器具１Ａにおいても、上記規格の角度特性（配光条件）を満足する必要がある。
【００４８】
さらに、誘導灯器具には、筐体１０の前面と後面の両面に表示板２０が設けられた、両面型の誘導灯器具１Ｂ（変形例２）もある（図５参照）。両面型の誘導灯器具１Ｂでは、本体１００と、一対のプレート１０１とで筐体１０が構成されている。そして、本体１００の後面に表示板と光源ブロックが取り付けられている。誘導灯器具１Ｂでは、筐体１０の前方向と後方向の２つの方向が表示方向となるから、上記規格の角度特性を前後両方向において満足する必要がある。
【００４９】
そこで、本実施形態のレンズ９は、上述した変形例１、２を含む３タイプの誘導灯器具１；１Ａ；１Ｂにおいて、上記規格の角度特性を満足することができる配光特性を実現するように構成されている。その結果、本実施形態のレンズ９は、３タイプの誘導灯器具１；１Ａ；１Ｂの全てにおいて共通して使用することができる。ゆえに、各タイプの誘導灯器具１；１Ａ；１Ｂ毎に専用のレンズを使用する場合と比較して、部品（レンズ）の共通化による部品点数の削減と部品（レンズ）の製造コストの削減とを図ることができる。
【００５０】
以下、本実施形態のレンズ９について、図面を参照して詳細に説明する。
【００５１】
レンズ９は、図６及び図７に示すように、レンズ本体９０と、フランジ９１と、一対の固定片９２とを備える。レンズ本体９０は、ＬＥＤ３０から放射される光が入射する入射面９００を裏面に有している（図７参照）。レンズ本体９０は、入射面９００から入射した光が出射する出射面９０１を表面に有している（図６参照）。入射面９００の外形は、図７における左右方向を長軸方向とする長円形に形成されている。また、出射面９０１の外形は、図６における左右方向を長軸方向とする長円形に形成されている。ただし、入射面９００の外形の長軸の長さに対する短軸の長さの比率は、出射面９０１の外形の長軸の長さに対する短軸の長さの比率よりも高くなっている。また、入射面９００の外形の長軸と出射面９０１の外形の長軸とは平行である。
【００５２】
ここで、レンズ９に対して第１仮想平面Ｐ１と第２仮想平面Ｐ２とを設定する。第１仮想平面Ｐ１は、レンズ９の光軸Ｃ１を含む（光軸Ｃ１と平行な）平面であり、かつ、入射面９００の長軸を含む平面である。また、第２仮想平面Ｐ２は、レンズ９の光軸Ｃ１を含む（光軸Ｃ１と平行な）平面であり、かつ、第１仮想平面Ｐ１と直交する平面である。図８は、第１仮想平面Ｐ１を断面とするレンズ９の縦断面図であり、図１０は、第２仮想平面Ｐ２を断面とするレンズ９の横断面図である。また、図９は、レンズ９の縦断面図の要部拡大図であり、図１１は、レンズ９の横断面図の要部拡大図である。なお、図８に示すように、レンズ本体９０の裏面において、入射面９００を挟んで対向する位置に２つの凹み９３が設けられている。これら２つの凹み９３は、ホルダ３１の前面に設けられた２つの位置決め突起３１３（図３参照）とはめ合わされることにより、ホルダ３１に対してレンズ９を位置決めし、ＬＥＤ３０の光軸Ｃ１とレンズ９の光軸Ｃ１を一致させている。
【００５３】
第１仮想平面Ｐ１と入射面９００との交わりである曲線（以下、第１入射曲線Ｌ１１と呼ぶ。）を想定する。第１入射曲線Ｌ１１は、光軸Ｃ１と平行な方向においてＬＥＤ３０の発光面３００と対向する中央部Ｘ１と、中央部Ｘ１を囲む周辺部Ｘ２とを有する（図８及び図９参照）。中央部Ｘ１は、周辺部Ｘ２に対してＬＥＤ３０に向かって突出している。周辺部Ｘ２は、ＬＥＤ３０から離れる向きに凹んでいる。また、第１仮想平面Ｐ１と出射面９０１との交わりである曲線（以下、第１出射曲線Ｌ２１と呼ぶ。）を想定する。第１出射曲線Ｌ２１は、光軸Ｃ１と平行な方向においてＬＥＤ３０の発光面３００と対向し、かつ、ＬＥＤ３０から離れる向きに突出した第１の外側中央部Ｙ１を有する（図８参照）。第１出射曲線Ｌ２１は、第１の外側中央部Ｙ１を囲み、かつ、ＬＥＤ３０から離れる向きに突出した第１の外側周辺部Ｙ２を有する（図８参照）。
【００５４】
また、第２仮想平面Ｐ２と入射面９００との交わりである曲線（以下、第２入射曲線Ｌ１２と呼ぶ。）を想定する。第２入射曲線Ｌ１２は、ＬＥＤ３０から離れる向きに凹んでいる（図１０及び図１１参照）。第２仮想平面Ｐ２と出射面９０１との交わりである曲線（以下、第２出射曲線Ｌ２２と呼ぶ。）を想定する。第２出射曲線Ｌ２２は、光軸Ｃ１と平行な方向においてＬＥＤ３０の発光面３００と対向し、かつ、ＬＥＤ３０から離れる向きに突出した第２の外側中央部Ｚ１を有する（図１０参照）。第２出射曲線Ｌ２２は、第２の外側中央部Ｚ１を囲み、かつ、ＬＥＤ３０から離れる向きに突出した第２の外側周辺部Ｚ２を有する（図１０参照）。
【００５５】
さらに、レンズ９は、第１の外側中央部Ｙ１の曲率が第２の外側中央部Ｚ１の曲率よりも小さく、かつ、第２の外側周辺部Ｚ２の曲率が第１の外側周辺部Ｙ２の曲率よりも大きくなるように形成されている（図８及び図１０参照）。なお、第１の外側周辺部Ｙ２の曲率及び第２の外側周辺部Ｚ２の曲率は、光軸Ｃ１から離れるに従って大きくなっている（図８及び図１０参照）。
【００５６】
図１２Ａは、レンズ９の第１仮想平面Ｐ１における配光特性を示し、図１２Ｂは、レンズ９の第２仮想平面Ｐ２における配光特性を示している。なお、それぞれの配光特性における横軸は、光軸Ｃ１を０°とした傾き角であり、それぞれの配光特性における縦軸は、光度（単位はカンデラ［ｃｄ］）である。ただし、図１２Ａに示す配光特性の縦軸の目盛と、図１２Ｂに示す配光特性の縦軸の目盛とは異なっている。
【００５７】
ここで、誘導灯器具１；１Ａ；１Ｂにおいては、入射面９００の長軸方向を筐体１０の左右方向に一致させるように、レンズ９が筐体１０の下面又は前面に配置されている。したがって、誘導灯器具１；１Ｂでは、入射面９００の短軸を筐体１０の前後方向に一致させるようにレンズ９が筐体１０の下面に配置されている。そのため、誘導灯器具１；１Ｂでは、第２仮想平面Ｐ２における配光特性の±９０°の光度が、θ＝０°のときの規格値（１１１ｃｄ以上）を満足しなければならない。図１２Ｂから明らかなように、第２仮想平面Ｐ２における配光特性の±９０°の光度は、０°の光度に対する減少量が比較的に少ないので、θ＝０°のときの規格値（１１１ｃｄ以上）を容易に満足させることができる。また、θ＝±４５°及びθ＝±６０°における光度は、第２仮想平面Ｐ２における配光特性の±９０°の光度よりも小さく、かつ、第１仮想平面Ｐ１における配光特性の±９０°の光度よりも大きい。したがって、レンズ９の配光特性によれば、θ＝±４５°及びθ＝±６０°における光度の規格値を容易に満足させることができる。
【００５８】
一方、レンズ９が筐体１０の前面に配置されている誘導灯器具１Ａでは、第１仮想平面Ｐ１における配光特性の０°、±４５°及び±６０°のそれぞれの光度に、θ＝０°、θ＝±４５°及びθ＝±６０°における光度の規格値を容易に満足させることができる。
【００５９】
図１３Ａは、比較例１のレンズ９Ｒ１における第１仮想平面の断面図を示し、図１３Ｂは、比較例１のレンズ９Ｒ１の第１仮想平面における配光特性を示している。また、図１４Ａは、比較例１のレンズ９Ｒ１における第２仮想平面の断面図を示し、図１４Ｂは、比較例１のレンズ９Ｒ１の第２仮想平面における配光特性を示している。図１３Ａに示すように、比較例１のレンズ９Ｒ１は、入射面９００Ｒの全体が出射面９０１Ｒに近付く向き（図における上向き）に凹んでいる点で本実施形態のレンズ９と異なっている。図１３Ｂ及び図１４Ｂから明らかなように、比較例１のレンズ９Ｒ１の配光特性の０°の光度が大きく減少しているので、θ＝０°のときの規格値（１１１ｃｄ以上）を満足させることは困難である。ゆえに、比較例１のレンズ９Ｒ１は、筐体１０の下面に配置される誘導灯器具１；１Ｂには使用できるが、筐体１０の前面に配置される誘導灯器具１Ａには使用できない。
【００６０】
図１５Ａは、比較例２のレンズ９Ｒ２における第１仮想平面の断面図を示し、図１５Ｂは、比較例２のレンズ９Ｒ２の第１仮想平面における配光特性を示している。また、図１６Ａは、比較例２のレンズ９Ｒ２における第２仮想平面の断面図を示し、図１６Ｂは、比較例２のレンズ９Ｒ２の第２仮想平面における配光特性を示している。図１５Ａに示すように、比較例２のレンズ９Ｒ２は、第１の外側中央部Ｙ１の曲率が第２の外側中央部Ｚ１の曲率よりも大きい点で本実施形態のレンズ９と異なっている。さらに、図１６Ａに示すように、比較例２のレンズ９Ｒ２は、第２の外側周辺部Ｚ２の曲率が第１の外側周辺部Ｙ２の曲率よりも小さい点で本実施形態のレンズ９と異なっている。図１５Ｂ及び図１６Ｂから明らかなように、比較例２のレンズ９Ｒ２の配光特性の±４５°〜６０°の光度が大きく減少しているので、θ＝±４５°及びθ＝６０°のときの規格値を満足させることは困難である。ゆえに、比較例２のレンズ９Ｒ２は、筐体１０の前面に配置される誘導灯器具１Ａには使用できるが、筐体１０の下面に配置される誘導灯器具１；１Ｂには使用できない。
【００６１】
これに対して本実施形態のレンズ９は、入射面９００の中央部Ｘ１が周辺部Ｘ２に対してＬＥＤ３０に向かって突出していることにより、中央部Ｘ１の光度を周辺部Ｘ２の光度よりも高くすることができる。さらに、本実施形態のレンズ９は、第１の外側中央部Ｙ１の曲率が第２の外側中央部Ｚ１の曲率よりも小さく、かつ、第２の外側周辺部Ｚ２の曲率が第１の外側周辺部Ｙ２の曲率よりも大きいため、比較例２のレンズ９Ｒ２に比べて広角の配光特性を実現できる。つまり、本実施形態のレンズ９は、複数の配光条件を満たすことが可能である。その結果、本実施形態のレンズ９は、複数種類の誘導灯器具１；１Ａ；１Ｂに共通に使用することができるから、光源装置３及び誘導灯器具１；１Ａ；１Ｂ（発光装置）の製造コストの削減を図ることができる。
【００６２】
ところで、本実施形態の発光装置に相当する誘導灯器具は、図１７及び図１８に示すような誘導音付点滅形避難口誘導灯器具（以下、誘導灯器具１Ｃ；１Ｄと呼ぶ。）でもかまわない。誘導灯器具１Ｃ（変形例３）；１Ｄ（変形例４）は、筐体１０内にスピーカを収容している。筐体１０の前壁１１にスピーカ用の窓１１１が開口している。この窓１１１は、カバー１１２で塞がされている。ただし、カバー１１２は、カバー１１２の厚み方向に貫通する多数の穴を有している。誘導灯器具１Ｃ；１Ｄは、誘導灯信号装置から信号を受信した場合、「避難口はこちらです。」というような音声メッセージをスピーカから出力するように構成されている。
【００６３】
本実施形態のレンズ９は、変形例３の誘導灯器具１Ｃ及び変形例４の誘導灯器具１Ｄのいずれにも使用することができる。したがって、本実施形態のレンズ９は、光源装置３及び誘導灯器具１Ｃ；１Ｄ（発光装置）の製造コストの削減を図ることができる。
【００６４】
上述のように本発明の第１の態様に係るレンズ（９）は、透光性を有する媒質からなるレンズ本体（９０）を備える。レンズ本体（９０）は、固体光源（ＬＥＤ３０）から放射される光が入射する入射面（９００）と、入射面（９００）から入射した光が出射する出射面（９０１）とを有する。固体光源の光軸（Ｃ１）と平行な第１仮想平面（Ｐ１）と入射面（９００）との交わりである第１入射曲線（Ｌ１１）は、光軸（Ｃ１）と平行な方向において固体光源の発光面（３００）と対向する中央部（Ｘ１）と、中央部（Ｘ１）を囲む周辺部（Ｘ２）とを有する。中央部（Ｘ１）は、周辺部（Ｘ２）に対して固体光源に向かって突出している。周辺部（Ｘ２）は、固体光源から離れる向きに凹んでいる。光軸（Ｃ１）と平行し、かつ、第１仮想平面（Ｐ１）と直交する第２仮想平面（Ｐ２）と入射面（９００）との交わりである第２入射曲線（Ｌ１２）は、固体光源から離れる向きに凹んでいる。第１仮想平面（Ｐ１）と出射面（９０１）との交わりである第１出射曲線（Ｌ２１）は、光軸（Ｃ１）と平行な方向において固体光源の発光面（３００）と対向し、かつ、固体光源から離れる向きに突出した第１の外側中央部（Ｙ１）を有する。第１出射曲線（Ｌ２１）は、第１の外側中央部（Ｙ１）を囲み、かつ、固体光源から離れる向きに突出した第１の外側周辺部（Ｙ２）を有する。第２仮想平面（Ｐ２）と出射面（９０１）との交わりである第２出射曲線（Ｌ２２）は、光軸（Ｃ１）と平行な方向において固体光源の発光面（３００）と対向し、かつ、固体光源から離れる向きに突出した第２の外側中央部（Ｚ１）を有する。第２出射曲線（Ｌ２２）は、第２の外側中央部（Ｚ１）を囲み、かつ、固体光源から離れる向きに突出した第２の外側周辺部（Ｚ２）を有する。第１の外側中央部（Ｙ１）の曲率が第２の外側中央部（Ｚ１）の曲率よりも小さく、かつ、第２の外側周辺部（Ｚ２）の曲率が第１の外側周辺部（Ｙ２）の曲率よりも大きい。
【００６５】
第１の態様に係るレンズ（９）は、入射面（９００）の中央部（Ｘ１）が周辺部（Ｘ２）に対して固体光源に向かって突出していることにより、中央部（Ｘ１）の光度を周辺部（Ｘ２）の光度よりも高くすることができる。さらに、第１の態様に係るレンズ（９）は、第１の外側中央部（Ｙ１）の曲率が第２の外側中央部（Ｚ１）の曲率よりも小さく、かつ、第２の外側周辺部（Ｚ２）の曲率が第１の外側周辺部（Ｙ２）の曲率よりも大きいために広角の配光特性を実現できる。その結果、第１の態様に係るレンズ（９）は、複数の配光条件を満たすことが可能である。
【００６６】
本発明の第２の態様に係るレンズ（９）は、第１の態様に係るレンズ（９）との組合せにより実現され得る。第２の態様に係るレンズ（９）において、第１の外側周辺部（Ｙ２）の曲率及び第２の外側周辺部（Ｚ２）の曲率は光軸（Ｃ１）から離れるに従って大きくなることが好ましい。
【００６７】
第２の態様に係るレンズ（９）は、配光特性を更に広角に拡げることができる。
【００６８】
本発明の第３の態様に係るレンズ（９）は、第１又は第２の態様との組合せにより実現され得る。第３の態様に係るレンズ（９）において、光軸（Ｃ１）の方向から見た入射面（９００）の外形が長円形であることが好ましい。
【００６９】
第３の態様に係るレンズ（９）は、指向性を有する配光特性を実現することができる。
【００７０】
本発明の第４の態様に係るレンズ（９）は、第１〜第３のいずれか一つとの組合せにより実現され得る。第４の態様に係るレンズ（９）において、光軸（Ｃ１）の方向から見た出射面（９０１）の外形が長円形であることが好ましい。
【００７１】
第４の態様に係るレンズ（９）は、指向性を有する配光特性を実現することができる。
【００７２】
本発明の第５の態様に係るレンズ（９）は、第１〜第４の態様のいずれか一つとの組合せにより実現され得る。第５の態様に係るレンズ（９）において、入射面（９００）の外形の長軸の長さに対する短軸の長さの比率は、出射面（９０１）の外形の長軸の長さに対する短軸の長さの比率よりも高いことが好ましい。さらに、入射面（９００）の外形の長軸と出射面（９０１）の外形の長軸とが平行であることが好ましい。
【００７３】
第５の態様に係るレンズ（９）は、配光特性を更に広角に拡げることができる。
【００７４】
本発明の第６の態様に係る光源装置（３）は、第１〜第５の態様のいずれか一つのレンズ（９）と、レンズ（９）の入射面（９００）に発光面（３００）を対向させるように配置される固体光源（ＬＥＤ３０）とを備える。
【００７５】
第６の態様に係る光源装置（３）は、第１〜第５の態様のいずれか一つのレンズ（９）を備えることにより、複数の配光条件を満たすことが可能である。
【００７６】
本発明の第７の態様に係る発光装置（誘導灯器具１；１Ａ；１Ｂ；１Ｃ；１Ｄ）は、第６の態様に係る光源装置（３）と、光源装置（３）を駆動する駆動装置（４）と、光源装置（３）及び駆動装置（４）を収容する筐体（１０）とを有する。
【００７７】
第７の態様に係る発光装置は、第６の態様に係る光源装置（３）を有することにより、複数の配光条件を満たすことが可能である。
【００７８】
本発明の第８の態様に係る発光装置は、第７の態様との組合せにより実現され得る。第８の態様に係る発光装置において、筐体（１０）は、前壁（１１）と、前壁（１１）の厚み方向において前壁（１１）と対向する後壁（１２）と、前壁（１１）と後壁（１２）の周縁を囲む側壁（１３）とを有することが好ましい。前壁（１１）と後壁（１２）の少なくとも一方は、レンズ本体（９０）が挿通される挿通穴（１４）を有していることが好ましい。
【００７９】
第８の態様に係る発光装置は、筐体（１０）の前方又は後方に光源装置（３）の光を配光することができる。
【００８０】
本発明の第９の態様に係る発光装置は、第７の態様との組合せにより実現され得る。第９の態様に係る発光装置において、筐体（１０）は、前壁（１１）と、前壁（１１）の厚み方向において前壁（１１）と対向する後壁（１２）と、前壁（１１）と後壁（１２）の周縁を囲む側壁（１３）とを有することが好ましい。側壁（１３）は、レンズ本体（９０）が挿通される挿通穴（１４）を有していることが好ましい。
【００８１】
第９の態様に係る発光装置は、筐体（１０）の前方及び後方に光源装置（３）の光を配光することができる。
【符号の説明】
【００８２】
１；１Ａ；１Ｂ；１Ｃ；１Ｄ  誘導灯器具（発光装置）
３  光源装置
９  レンズ
１０  筐体
１１  前壁
１２  後壁
１３  側壁
１４  挿通穴
３０  ＬＥＤ（固体光源）
９０  レンズ本体
３００  発光面
９００  入射面
９０１  出射面
Ｐ１  第１仮想平面
Ｐ２  第２仮想平面
Ｌ１１  第１入射曲線
Ｌ１２  第２入射曲線
Ｌ２１  第１出射曲線
Ｌ２２  第２出射曲線
Ｘ１  中央部
Ｘ２  周辺部
Ｙ１  第１の外側中央部
Ｙ２  第１の外側周辺部
Ｚ１  第２の外側中央部
Ｚ２  第２の外側周辺部
Ｃ１  光軸
【図１】
2019102175.tif 000003
【図２】
2019102175.tif 000004
【図３】
2019102175.tif 000005
【図４】
2019102175.tif 000006
【図５】
2019102175.tif 000007
【図６】
2019102175.tif 000008
【図７】
2019102175.tif 000009
【図８】
2019102175.tif 000010
【図９】
2019102175.tif 000011
【図１０】
2019102175.tif 000012
【図１１】
2019102175.tif 000013
【図１２】
2019102175.tif 000014
【図１３】
2019102175.tif 000015
【図１４】
2019102175.tif 000016
【図１５】
2019102175.tif 000017
【図１６】
2019102175.tif 000018
【図１７】
2019102175.tif 000019
【図１８】
2019102175.tif 000020